【手続補正書】
【提出日】平成26年1月10日(2014.1.10)
【手続補正１】
【補正対象書類名】特許請求の範囲
【補正対象項目名】全文
【補正方法】変更
【補正の内容】
【特許請求の範囲】
【請求項１】
現像パラメータに基づきＲＡＷ画像データの現像処理を行う現像手段と、
現像処理により得られる画像データに対する画像補正処理の設定値の入力を受け付ける入力手段と、
前記入力された設定値に基づき、現像処理により得られた画像データに対して画像補正処理を行う画像補正手段と、
前記入力された設定値に基づき、前記画像データに対応するＲＡＷ画像データの現像処理において用いる現像パラメータを生成する生成手段と、
を備え、
前記現像手段は、前記生成手段により生成された現像パラメータを用いて、前記画像データに対応するＲＡＷ画像データの現像処理を行う画像処理システム。
【請求項２】
前記現像手段の現像処理により得られる画像データは、ＲＡＷ画像データよりビット深度の少ない画像データである請求項１に記載の画像処理システム。
【請求項３】
前記現像手段と、前記生成手段と、を有する現像装置と、
前記画像補正手段と、前記入力手段と、を有する表示装置と、
により構成される請求項１又は２に記載の画像処理システム。
【請求項４】
前記現像手段を有する現像装置と、
前記画像補正手段と、前記入力手段と、前記生成手段と、を有する表示装置と、
により構成される請求項１又は２に記載の画像処理システム。
【請求項５】
前記現像手段と、前記生成手段と、着脱可能な記録媒体に対し画像データの書き込み及び前記入力された設定値の情報の読み出しを行う手段と、を有する現像装置と、
前記画像補正手段と、前記入力手段と、着脱可能な前記記録媒体に対し画像データの読み出し及び前記入力された設定値の情報の書き込みを行う手段と、を有する表示装置と、を有し、現像装置と表示装置との間で前記記録媒体を介して画像データ及び前記入力された設定値の情報が受け渡しされる請求項１又は２に記載の画像処理システム。
【請求項６】
前記現像手段と、着脱可能な記録媒体に対し画像データの書き込み及び前記生成手段に
より生成された現像パラメータの情報の読み出しを行う手段と、を有する現像装置と、
前記画像補正手段と、前記入力手段と、前記生成手段と、着脱可能な前記記録媒体に対し画像データの読み出し及び前記生成手段により生成された現像パラメータの情報の書き込みを行う手段と、を有する表示装置と、
を有し、現像装置と表示装置との間で前記記録媒体を介して画像データ及び前記生成手段により生成された現像パラメータの情報が受け渡しされる請求項１又は２に記載の画像処理システム。
【請求項７】
前記入力された設定値に基づき生成された現像パラメータを用いて前記現像手段が前記画像データに対応するＲＡＷ画像データを現像処理した場合には、前記画像補正手段は、現像処理により得られた画像データに対して、前記入力された設定値に基づく画像補正処理を行わないことを特徴とする請求項１から６のいずれか１項に記載の画像処理システム。
【請求項８】
画像データに基づく画像を表示する表示手段を備え、
前記表示手段は、
前記画像補正手段が前記入力された設定値に基づく画像補正処理を行った場合には、当該画像補正処理が行われた後の画像データに基づく画像を表示し、
前記画像補正手段が前記入力された設定値に基づく画像補正処理を行わなかった場合には、前記入力された設定値に基づき生成された現像パラメータを用いて前記現像手段が前記画像データに対応するＲＡＷ画像データを現像処理して得られた画像データに基づく画像を表示する請求項７に記載の画像処理システム。
【請求項９】
画像データに基づく画像を表示する表示手段を備え、
前記入力手段は、前記入力された設定値で決定する指示の入力を受け付け、
前記表示手段は、
前記入力された設定値で決定する指示が入力されない場合には、前記画像補正手段により画像補正処理が行われた後の画像データに基づく画像を表示し、
前記入力された設定値で決定する指示が入力された場合には、前記入力された設定値に基づき生成された現像パラメータを用いて前記現像手段が前記画像データに対応するＲＡＷ画像データを現像処理して得られた画像データに基づく画像を表示する請求項７に記載の画像処理システム。
【請求項１０】
現像パラメータに基づきＲＡＷ画像データの現像処理を行う現像手段と、
現像処理により得られた画像データに対して外部の表示装置が行った画像補正処理の設定値の情報を取得する取得手段と、
前記設定値の情報に基づき、前記画像データに対応するＲＡＷ画像データの現像処理において用いる現像パラメータを生成する生成手段と、
を備え、
前記現像手段は、前記生成手段により生成された現像パラメータを用いて、前記画像データに対応するＲＡＷ画像データを現像処理することを特徴とする現像装置。
【請求項１１】
前記現像手段の現像処理により得られる画像データは、ＲＡＷ画像データよりビット深度の少ない画像データである請求項１０に記載の現像装置。
【請求項１２】
前記生成手段は、前記表示装置が行った画像補正処理と同等の画像補正処理を前記現像手段の現像処理において実行するための現像パラメータを前記設定値の情報に基づき生成する請求項１０又は１１に記載の現像装置。
【請求項１３】
前記生成手段は、前記表示装置が行った画像補正処理と同等の画像補正処理を前記現像
手段の現像処理において実行可能であるか判定し、実行可能と判定した場合に、前記設定値の情報に基づく現像パラメータの生成を行う請求項１２に記載の現像装置。
【請求項１４】
前記表示装置が行った画像補正処理により補正された前記画像データの特性を表す値に対し、前記生成手段により生成された現像パラメータを用いて前記画像データに対応するＲＡＷ画像データを現像処理して得られる画像データの特性を表す値は、所定範囲内となる請求項１２又は１３に記載の現像装置。
【請求項１５】
外部の現像装置が現像パラメータに基づきＲＡＷ画像データを現像処理して得られた画像データを取得する取得手段と、
前記取得した画像データに対する画像補正処理の設定値の入力を受け付ける入力手段と、
前記入力された設定値に基づき、前記取得した画像データに対して画像補正処理を行う画像補正手段と、
前記画像補正処理が行われた後の画像データに基づく画像を表示する表示手段と、
を備え、
前記入力された設定値の情報に基づき生成された現像パラメータを用いて前記現像装置が前記画像データに対応するＲＡＷ画像データを現像処理して得られた画像データを前記取得手段が取得した場合には、前記画像補正手段は、前記取得した画像データに対して、前記入力された設定値に基づく画像補正処理を行わないことを特徴とする表示装置。
【請求項１６】
前記表示手段は、
前記画像補正手段が前記入力された設定値に基づく画像補正処理を行った場合には、当該画像補正処理が行われた後の画像データに基づく画像を表示し、
前記画像補正手段が前記入力された設定値に基づく画像補正処理を行わなかった場合には、前記取得手段が取得する、前記入力された設定値の情報に基づき生成された現像パラメータを用いて前記現像装置が前記画像データに対応するＲＡＷ画像データを現像処理して得られた画像データに基づく画像を表示する請求項１５に記載の表示装置。
【請求項１７】
前記入力された設定値の情報を前記現像装置へ送信する送信手段を備え、
前記入力手段は、前記設定値の情報を前記現像装置へ送信する指示の入力を受け付け、
前記表示手段は、
前記設定値の情報を前記現像装置へ送信する指示が入力されない場合には、前記画像補正手段により画像補正処理が行われた後の画像データに基づく画像を表示し、
前記設定値の情報を前記現像装置へ送信する指示が入力された場合には、前記取得手段が取得する、前記入力された設定値の情報に基づき生成された現像パラメータを用いて前記現像装置が前記画像データに対応するＲＡＷ画像データを現像処理して得られた画像データに基づく画像を表示する請求項１５に記載の表示装置。
【請求項１８】
前記現像装置の現像処理により得られる画像データは、ＲＡＷ画像データよりビット深度の少ない画像データである請求項１５〜１７のいずれか１項に記載の表示装置。
【請求項１９】
現像パラメータに基づきＲＡＷ画像データの現像処理を行う現像工程と、
現像処理により得られる画像データに対する画像補正処理の設定値の入力を受け付ける入力工程と、
前記入力された設定値に基づき、現像処理により得られた画像データに対して画像補正処理を行う画像補正工程と、
前記入力された設定値に基づき、前記画像データに対応するＲＡＷ画像データの現像処理において用いる現像パラメータを生成する生成工程と、
を有し、
前記現像工程では、前記生成工程において生成された現像パラメータを用いて、前記画像データに対応するＲＡＷ画像データの現像処理を行う画像処理システムの制御方法。
【請求項２０】
ＲＡＷ画像データの現像処理を行う現像装置の制御方法であって、
現像パラメータに基づきＲＡＷ画像データの現像処理を行う現像工程と、
現像処理により得られた画像データに対して外部の表示装置が行った画像補正処理の設定値の情報を取得する取得工程と、
前記設定値の情報に基づき、前記画像データに対応するＲＡＷ画像データの現像処理において用いる現像パラメータを生成する生成工程と、
を有し、
前記現像工程では、前記生成工程により生成された現像パラメータを用いて、前記画像データに対応するＲＡＷ画像データを現像処理することを特徴とする現像装置の制御方法。
【請求項２１】
表示装置の制御方法であって、
外部の現像装置が現像パラメータに基づきＲＡＷ画像データを現像処理して得られた画像データを取得する取得工程と、
前記取得した画像データに対する画像補正処理の設定値の入力を受け付ける入力工程と、
前記入力された設定値に基づき、前記取得した画像データに対して画像補正処理を行う画像補正工程と、
前記画像補正処理が行われた後の画像データに基づく画像を前記表示装置に表示する表示工程と、
を有し、
前記入力された設定値の情報に基づき生成された現像パラメータを用いて前記現像装置が前記画像データに対応するＲＡＷ画像データを現像処理して得られた画像データを前記取得工程で取得した場合には、前記画像補正工程では、前記取得した画像データに対して、前記入力された設定値に基づく画像補正処理を行わないことを特徴とする表示装置の制御方法。
【手続補正２】
【補正対象書類名】明細書
【補正対象項目名】０００９
【補正方法】変更
【補正の内容】
【０００９】
本発明は、現像パラメータに基づきＲＡＷ画像データの現像処理を行う現像手段と、
現像処理により得られる画像データに対する画像補正処理の設定値の入力を受け付ける入力手段と、
前記入力された設定値に基づき、現像処理により得られた画像データに対して画像補正処理を行う画像補正手段と、
前記入力された設定値に基づき、前記画像データに対応するＲＡＷ画像データの現像処理において用いる現像パラメータを生成する生成手段と、
を備え、
前記現像手段は、前記生成手段により生成された現像パラメータを用いて、前記画像データに対応するＲＡＷ画像データの現像処理を行う画像処理システムである。
また、本発明は、現像パラメータに基づきＲＡＷ画像データの現像処理を行う現像手段と、
現像処理により得られた画像データに対して外部の表示装置が行った画像補正処理の設
定値の情報を取得する取得手段と、
前記設定値の情報に基づき、前記画像データに対応するＲＡＷ画像データの現像処理において用いる現像パラメータを生成する生成手段と、
を備え、
前記現像手段は、前記生成手段により生成された現像パラメータを用いて、前記画像データに対応するＲＡＷ画像データを現像処理することを特徴とする現像装置である。
また、本発明は、外部の現像装置が現像パラメータに基づきＲＡＷ画像データを現像処理して得られた画像データを取得する取得手段と、
前記取得した画像データに対する画像補正処理の設定値の入力を受け付ける入力手段と、
前記入力された設定値に基づき、前記取得した画像データに対して画像補正処理を行う画像補正手段と、
前記画像補正処理が行われた後の画像データに基づく画像を表示する表示手段と、
を備え、
前記入力された設定値の情報に基づき生成された現像パラメータを用いて前記現像装置が前記画像データに対応するＲＡＷ画像データを現像処理して得られた画像データを前記取得手段が取得した場合には、前記画像補正手段は、前記取得した画像データに対して、前記入力された設定値に基づく画像補正処理を行わないことを特徴とする表示装置である。
【手続補正３】
【補正対象書類名】明細書
【補正対象項目名】００１０
【補正方法】変更
【補正の内容】
【００１０】
本発明は、現像パラメータに基づきＲＡＷ画像データの現像処理を行う現像工程と、
現像処理により得られる画像データに対する画像補正処理の設定値の入力を受け付ける入力工程と、
前記入力された設定値に基づき、現像処理により得られた画像データに対して画像補正処理を行う画像処理工程と、
前記入力された設定値に基づき、前記画像データに対応するＲＡＷ画像データの現像処理において用いる現像パラメータを生成する生成工程と、
を有し、
前記現像工程では、前記生成工程において生成された現像パラメータを用いて、前記画像データに対応するＲＡＷ画像データの現像処理を行う画像処理システムの制御方法である。
また、本発明は、ＲＡＷ画像データの現像処理を行う現像装置の制御方法であって、
現像パラメータに基づきＲＡＷ画像データの現像処理を行う現像工程と、
現像処理により得られた画像データに対して外部の表示装置が行った画像補正処理の設定値の情報を取得する取得工程と、
前記設定値の情報に基づき、前記画像データに対応するＲＡＷ画像データの現像処理において用いる現像パラメータを生成する生成工程と、
を有し、
前記現像工程では、前記生成工程により生成された現像パラメータを用いて、前記画像データに対応するＲＡＷ画像データを現像処理することを特徴とする現像装置の制御方法である。
また、本発明は、表示装置の制御方法であって、
外部の現像装置が現像パラメータに基づきＲＡＷ画像データを現像処理して得られた画
像データを取得する取得工程と、
前記取得した画像データに対する画像補正処理の設定値の入力を受け付ける入力工程と、
前記入力された設定値に基づき、前記取得した画像データに対して画像補正処理を行う画像補正工程と、
前記画像補正処理が行われた後の画像データに基づく画像を前記表示装置に表示する表示工程と、
を有し、
前記入力された設定値の情報に基づき生成された現像パラメータを用いて前記現像装置が前記画像データに対応するＲＡＷ画像データを現像処理して得られた画像データを前記取得工程で取得した場合には、前記画像補正工程では、前記取得した画像データに対して、前記入力された設定値に基づく画像補正処理を行わないことを特徴とする表示装置の制御方法である。
【手続補正４】
【補正対象書類名】明細書
【補正対象項目名】００１８
【補正方法】変更
【補正の内容】
【００１８】
現像装置１００は、現像処理部１０１、現像パラメータ生成部１０２、記録部１０３、再生部１０４を備える。
現像処理部１０１は、記録部１０３に格納されているＲＡＷ画像データに対し、現像パラメータに基づく現像処理を行う。現像パラメータとは、デモザイク処理、ガンマ補正処理、ホワイトバランス調整処理等の現像処理で使用するパラメータである。現像処理の実行後、現像処理部１０１は、現像処理により得られた画像データをＭＰＥＧ形式に符号化圧縮し、符号化圧縮により得られた画像データを記録部１０３に格納する。なお、ここでは符号化圧縮形式をＭＰＥＧ形式としたが、符号化圧縮形式はこれに限るものではなく、例えばモーションＪＰＥＧ等でも良い。
【手続補正５】
【補正対象書類名】明細書
【補正対象項目名】００２０
【補正方法】変更
【補正の内容】
【００２０】
表示装置２００は、入力部２０１、画像処理部２０２、表示パネル２０３、制御部２０４を備える。
画像処理部２０２は、入力部２０１から入力された画像データに対して、ノイズ除去、ガンマ補正、エッジ強調、ホワイトバランス補正等の画像処理（画像補正処理）を施す。これらの画像処理は、制御部２０４から指示された画質パラメータの設定値（画像補正処理の設定値）に基づいて実行する。画像処理部２０２は、画像処理後の画像データを表示パネル２０３に出力し、画像処理後の画像データに基づく画像をユーザに提示する。
【手続補正６】
【補正対象書類名】明細書
【補正対象項目名】００２１
【補正方法】変更
【補正の内容】
【００２１】
制御部２０４は、ユーザからの画質調整指示を受け、ユーザの指示に基づく画質調整を行うための画質パラメータを画像処理部２０２に設定する。本実施例では、ユーザは、表示パネル２０３に表示される画像を確認しながら、不図示のリモコンを操作することにより、画質調整の指示を表示装置２００に入力することができるものとする。更に、制御部２０４は、表示装置２００にてユーザが指示した画質パラメータの設定情報（画像補正処理の設定値）を、表示装置２００と接続されている現像装置１００へ送信する。
【手続補正７】
【補正対象書類名】明細書
【補正対象項目名】００３８
【補正方法】変更
【補正の内容】
【００３８】
以下、現像装置１００の動作について説明を行う。
現像装置１００内の不図示のＣＰＵは、表示装置２００からの再現像処理依頼を受けると（Ｓ４１２）、Ｓ４０６で表示装置２００から受け取った画質パラメータ設定情報（式１・式２）を現像パラメータ生成部１０２に送信する。現像パラメータ生成部１０２は、記録部１０３に格納されている現像パラメータと画質パラメータ設定情報（式１・式２）に基づき、Ｓ４０４でユーザが画像データに対し行った画質調整指示を現像パラメータに変換する（Ｓ４１３）。
【手続補正８】
【補正対象書類名】明細書
【補正対象項目名】００３９
【補正方法】変更
【補正の内容】
【００３９】
Ｓ４１３で得られた新しい現像パラメータに基づき、現像処理部１０１は、Ｓ４０２で表示装置２００に送信され、Ｓ４０４でユーザが画質調整を行った画像データに対応するＲＡＷ画像データの現像処理を行う（再現像処理）（Ｓ４１４）。その後、現像処理部１０１は、再現像処理により得られた画像データをＭＰＥＧ形式に符号化圧縮し、圧縮された画像データを記録部１０３に格納する。